(57)【要約】【課題】スリットの形成により打球の打ち出し角を増大でき、かつ、スリットの挿入物をスリット内に保持すること。【解決手段】ヘッド上部と、ヘッド底部と、前記ヘッド上部と前記ヘッド底部との間のフェース部と、を含むゴルフクラブヘッドであって、前記フェース部よりもバック側において前記ヘッド上部に開口し、トウーヒール方向に延び、かつ、前記ヘッド底部へ向けて形成されたスリットと、前記スリットに設けられ、前記スリットを画定する前記フェース部側の第一の壁面に当接する中間部材と、前記第一の壁面から離間し、かつ、前記スリットを画定する前記バック側の第二の壁面の側から、前記中間部材を固定する固定部材と、を含む。【選択図】図３
2018201873.tif 000002
【特許請求の範囲】
【請求項１】
ヘッド上部と、ヘッド底部と、前記ヘッド上部と前記ヘッド底部との間のフェース部と、を含むゴルフクラブヘッドであって、
前記フェース部よりもバック側において前記ヘッド上部に開口し、トウーヒール方向に延び、かつ、前記ヘッド底部へ向けて形成されたスリットと、
前記スリットに設けられ、前記スリットを画定する前記フェース部側の第一の壁面に当接する中間部材と、
前記第一の壁面から離間し、かつ、前記スリットを画定する前記バック側の第二の壁面の側から、前記中間部材を固定する固定部材と、を含む、
ことを特徴とするゴルフクラブヘッド。
【請求項２】
請求項１に記載のゴルフクラブヘッドであって、
前記中間部材は、樹脂、繊維強化樹脂、ゴム、又は、金属である、
ことを特徴とするゴルフクラブヘッド。
【請求項３】
請求項１に記載のゴルフクラブヘッドであって、
前記フェース部及び前記第一の壁面を含む第一の部分と、
前記第一の部分に対して前記スリットを挟んで前記バック側に位置し、前記第二の壁面を含む第二の部分と、を含み、
前記第二の部分は、前記第二の部分をフェース−バック方向に貫通して前記第二の壁面に開口した穴を含み、
前記中間部材の一部が前記穴に挿入され、
前記固定部材は前記穴に取り付けられる、
ことを特徴とするゴルフクラブヘッド。
【請求項４】
請求項１に記載のゴルフクラブヘッドであって、
前記フェース部をトウ−ヒール方向にトウ側部、中央部、ヒール側部に三等分した場合、前記中間部材及び前記固定部材は前記トウ側部又は前記中央部に位置している、
ことを特徴とするゴルフクラブヘッド。
【請求項５】
請求項１に記載のゴルフクラブヘッドであって、
前記中間部材及び前記固定部材は着脱自在であり、
前記中間部材は複数種類の中間部材の中から選択可能である、
ことを特徴とするゴルフクラブヘッド。
【請求項６】
請求項１に記載のゴルフクラブヘッドであって、
前記スリットを画定する底壁面を有し、
前記底壁面は前記ヘッド底部の側に位置している、
ことを特徴とするゴルフクラブヘッド。
【発明の詳細な説明】
【技術分野】
【０００１】
本発明はゴルフクラブヘッドに関する。
【背景技術】
【０００２】
打撃時のフェース部の傾斜やボールとの摩擦態様或いは打感を制御するために、フェース部の背後に空隙を設けたり、その空隙にゴムや樹脂を挿入することが提案されている（例えば特許文献１〜８）。
【先行技術文献】
【特許文献】
【０００３】
【特許文献１】特開２０１５−２３１４８５号号公報
【特許文献２】特開２０１４−１１１１７０号公報
【特許文献３】実開平０１−１２６２６９号公報
【特許文献４】米国特許第９４８０８８８号明細書
【特許文献５】特開２００６−１９８３２７号公報
【特許文献６】特開昭５３−６５１２８号公報
【特許文献７】特開昭５５−３５６８２号公報
【特許文献８】実用新案登録第３０４６０１１号公報
【発明の概要】
【発明が解決しようとする課題】
【０００４】
ヘッド上部に開口したスリットを形成すると、打撃時にフェース部の傾斜が大きくなって、打球の打ち出し角を増大させることができる。しかし、スリットを画定する前後の壁面が打撃時に衝突して異音を発生させる場合がある。その改善策として、スリットにゴムや樹脂などを挿入することは有効であるが、スリット内に適切に保持されていなければ目的とする機能を得られない場合がある。
【０００５】
本発明の目的は、スリットの形成により打球の打ち出し角を増大でき、かつ、スリットの挿入物をスリット内に保持することにある。
【課題を解決するための手段】
【０００６】
本発明によれば、
ヘッド上部と、ヘッド底部と、前記ヘッド上部と前記ヘッド底部との間のフェース部と、を含むゴルフクラブヘッドであって、
前記フェース部よりもバック側において前記ヘッド上部に開口し、トウーヒール方向に延び、かつ、前記ヘッド底部へ向けて形成されたスリットと、
前記スリットに設けられ、前記スリットを画定する前記フェース部側の第一の壁面に当接する中間部材と、
前記第一の壁面から離間し、かつ、前記スリットを画定する前記バック側の第二の壁面の側から、前記中間部材を固定する固定部材と、を含む、
ことを特徴とするゴルフクラブヘッドが提供される。
【発明の効果】
【０００７】
本発明によれば、スリットの形成により打球の打ち出し角を増大でき、かつ、スリットの挿入物をスリット内に保持することができる。
【図面の簡単な説明】
【０００８】
【図１】（Ａ）は実施形態のゴルフクラブヘッドの正面図、（Ｂ）は背面図。
【図２】（Ａ）は図１（Ａ）のゴルフクラブヘッドの平面図、（Ｂ）は底面図、（Ｃ）は図１（Ｂ）のＩ−Ｉ線断面図。
【図３】（Ａ）は図２（Ｃ）のＡ部拡大図、（Ｂ）は分解図。
【図４】フェースセンタの説明図。
【発明を実施するための形態】
【０００９】
図１（Ａ）〜図３（Ｂ）を参照して本発明の一実施形態に係るゴルフクラブヘッド１を説明する。図１（Ａ）はゴルフクラブヘッド１の正面図、図１（Ｂ)は背面図、図２（Ａ）は平面図、図２（Ｂ）は底面図、図２（Ｃ）は図１（Ｂ）のＩ−Ｉ線断面図である。図３（Ａ）及び図３（Ｂ）は図２（Ｃ）のＡ部拡大図であり、図３（Ｂ）は分解図である。図中、矢印Ｄ１はトウ−ヒール方向を、矢印Ｄ２は上下方向を、矢印Ｄ３はフェース−バック方向をそれぞれ示す。
【００１０】
ゴルフクラブヘッド１は、アイアン型のゴルフクラブヘッドである。本発明はロングアイアン、ミドルアイアン、ショートアイアン、ウェッジのいずれにも適用可能であるが、打ち出し角の増大の点でロングアイアン、ミドルアイアンに好適である。また、本発明はアイアン型のゴルフクラブヘッドに限らず、ユーティリティ型（ハイブリッド型）、ウッド型のゴルフクラブヘッドにも適用可能である。
【００１１】
ゴルフクラブヘッド１は、ヘッド上部２、ヘッド底部３、フェース部４、ホゼル部５及びバック部６を含む。ヘッド上部２はゴルフクラブヘッド１の上面を形成し、ヘッド底部３はソール部であり、ゴルフクラブヘッド１の底面を形成する[O02111]。ヘッド上部２とヘッド底部３との間のヘッド正面部は、トウ側部分１ａ、ヒール側部分１ｂ、及び、トウ側部分１ａとヒール側部分１ｂとの間のフェース部４を含む。フェース部４はゴルフボールの打撃面を形成する。フェース部４は本実施形態の場合、平面の打撃面を形成しており、Ｄ１方向に延びるスコアライン４１が、Ｄ２方向に複数形成されている。フェース部４と、トウ側部分１ａ及びヒール側部分１ｂとは、例えば、本実施形態のようにスコアライン４１が形成されている領域か、あるいは、表面処理が異なる領域か否かで区別することができる。表面処理としては、例えば、フェース部４にはブラスト処理等が施され、トウ側部分１ａ及びヒール側部分１ｂにはめっき処理、研磨仕上げ等が施される。バック部６はゴルフクラブヘッド１の背面を形成する。フェース部４及びバック部６はヘッド上部２とヘッド底部３との間に位置している。
【００１２】
ヘッド上部２、ヘッド底部３、フェース部４、ホゼル部５及びバック部６が、金属材料の単一部品に形成されている。しかし、フェース部４を含むフェース部材と、ヘッド上部２、ヘッド底部３、ホゼル部５及びバック部６を含む本体部材との二部品でこれらを形成することも可能である。
【００１３】
ゴルフクラブヘッド１はスリット７を含む。スリット７は、フェース部４よりもバック部６の側においてヘッド上部２に開口した開口部７ａを含み、開口部７ａからフェース部４に沿ってヘッド底部３へ向けて形成されている。本実施形態の場合、スリット７はＤ１方向及びＤ３方向の双方向においてフェース部４と平行に形成されているが、フェース部４に対して傾きを有しつつ、フェース部４に沿って形成されていてもよい。
【００１４】
スリット７は、Ｄ３方向の隙間を形成する薄形の板形状の空間であり、フェース部４側の壁面（第一の壁面）７ｂと、バック部６側の壁面（第二の壁面）７ｃとによりＤ３方向の端部が画定されている。ゴルフクラブヘッド１を、スリット７を境界としてＤ３方向に区分けすると、壁面７ｂは、フェース部４を含む中実の部分１０により形成されており、壁面７ｃは、バック部６を含む中実の部分１１により形成されている。部分１０と部分１１はトウ側、ヒール側及びヘッド底部３側で接続されている。
【００１５】
壁面７ｂと壁面７ｃとは互いに対向して平行に形成されており、その間隔Ｇ（スリット７の隙間）は、例えば、１ｍｍ以上４ｍｍ以下である。
【００１６】
スリット７は、ヘッド底部３側の端部が底壁面７ｄにより画定された有底の空間である。開口部７ａから底壁面７ｄまでの深さＤＰは、例えば、２５ｍｍ以上５０ｍｍ以下である。また、底壁面７ｄのＤ２方向の位置は、フェースセンタよりもヘッド底部３側の位置であることが好ましく、例えば、フェース部４の複数のスコアライン４１のうち、最もヘッド底部３側のスコアライン４１と同じか、低い位置に位置していてもよい。本実施形態の場合、最もヘッド底部３側のスコアライン４１よりも低い位置に底壁面７ｄが位置している。また、底壁面７ｄからヘッド底部３までの最短距離ｔは、例えば、１ｍｍ以上５ｍｍ以下である。
【００１７】
ここで本実施形態におけるフェースセンタについて図４を参照して説明する。ゴルフクラブヘッド１を規定のライ角及びロフト角で接地させた状態を基準とする。最も長いスコラインのトウ−ヒール方向の長さをＬ１とし、その中央位置を通る仮想面をＣＬ１とする。仮想面ＣＬ１上で接地面からヘッド上部２までの高さをＬ２とし、その中央位置を通る仮想面をＣＬ２とする。仮想面ＣＬ１と仮想面ＣＬ２との交線とフェース部４との交点ＦＣがフェースセンタである。
【００１８】
スリット７は、Ｄ１方向に延設されており、そのトウ側の端部が壁面７ｅで、ヒール側の端部が壁面７ｆで、それぞれ画定されている。本実施形態の場合、壁面７ｅ、壁面７ｆは平行にＤ２方向に延びている。壁面７ｅと壁面７ｆとの離間距離Ｗは例えば、４５ｍｍ以上６０ｍｍ以下である。また、壁面７ｅ、壁面７ｆのＤ１方向の位置は、例えば、フェース部４のＤ１方向の端部の位置と同じか、外側であってもよい。本実施形態の場合、壁面７ｅ、壁面７ｆのＤ１方向の位置は、フェース部４のＤ１方向の端部の位置と同じ位置である。
【００１９】
このようなスリット７を設けたことで、ゴルフボールの打撃時にフェース部４（部分１０）がバック部６側に後傾し易くなる。換言するとフェース部４のロフト角が大きくなる。このため打球の打ち出し角を増大できる。
【００２０】
打撃時にフェース部４が後傾する際、スリット７の隙間が狭くなり、壁面７ｂと壁面７ｃとが干渉する場合がある。その防止のため、本実施形態ではスリット７に中間部材８Ａ及び８Ｂ（以下、区別しない場合は単に中間部材８という。）を設けている。中間部材８は、例えば、樹脂、繊維強化樹脂、ゴム、金属等で構成される。中間部材８は壁面７ｂに当接しており、壁面７ｂと壁面７ｃとが干渉することを規制する。
【００２１】
スリット７には単一又は複数の中間部材が、スリット７の全体を埋めるように配置されていてもよいが、本実施形態の中間部材８は一部の部位のみ（２か所）に配置されている。これにより、打撃時にフェース部４が後傾し易くすることができる。
【００２２】
また、フェース部４（部分１０）は、Ｄ１方向で見るとトウ側で変形し易い傾向にある。ヒール側はＤ２方向の幅が狭く、また、ホゼル部５も存在するため、相対的に変形し難い。壁面７ｂと壁面７ｃとの干渉防止の観点では、フェース部４を図１（Ａ）に示すようにＤ１方向でトウ側部Ｔ、中央部Ｃ、ヒール側部Ｈに三等分すると、中間部材８はトウ側部Ｔ又は中央部Ｃに設けることが好ましい。本実施形態の場合、中間部材８Ａは中央部Ｃに、中間部材８Ｂはトウ側部Ｔに配置されている。
【００２３】
また、フェース部４（部分１０）は、Ｄ２方向で見るとヘッド上部２側で変形し易い傾向にある。スリット７は有底でヘッド上部２に開口しているからである。壁面７ｂと壁面７ｃとの干渉防止の観点では、中間部材８はＤ２方向でフェースセンタよりもヘッド上部２側に位置していることが好ましく、本実施形態の中間部材８Ａ及び８Ｂはいずれもフェースセンタよりもヘッド上部２側に位置している。更に、フェース部４の上側の輪郭形状に対応して、中間部材８Ｂが中間部材８Ａよりもヘッド上部２側に位置しており、少ない数又は小さな面積の中間部材８によって、壁面７ｂと壁面７ｃとの干渉防止性能を効果的に向上している。
【００２４】
打撃時にスリット７の隙間が変化することから、中間部材８がスリット７から脱落したり、中間部材８の位置が変わることを防止する必要がある。本実施形態では、固定部材９Ａ及び９Ｂ（以下、区別しない場合は単に固定部材９という。）により中間部材８Ａ、８Ｂをそれぞれ固定している。本実施形態の場合、固定部材９Ａ及び９Ｂは同様の構成であり、また、中間部材８Ａ及び８Ｂは同様の構成である。図３（Ａ）及び図３（Ｂ）を参照して、中間部材８Ａ及び固定部材９Ｂの組の構造について説明するが、中間部材８Ｂ及び固定部材９Ｂの組の構造も同様である。
【００２５】
本実施形態の場合、固定部材９Ａは部分１１に形成した穴１１ａに係合する部材である。係合態様は、圧入、接着、溶接等、いずれでもよいが、本実施形態では着脱自在にする点でねじ構造としている。固定部材９Ａは頭部９１とねじ部９２とを含むねじ部材であり、穴１１ａはねじ穴である。
【００２６】
穴１１ａは部分１１をＤ３方向に貫通して壁面７ｃに開口した貫通穴である。中間部材８Ａは円柱形状の部材であり、穴１１ａを挿通可能な直径を有している。図３（Ａ）に示すように中間部材８Ａは、そのフェース部４側の端部が壁面７ｂに当接し、バック部６側の端部は穴１１ａにその一部が挿入されている。このような本実施形態の構成は、組み付け性、交換容易性、脱落防止の点で有利である。
【００２７】
中間部材８Ａを穴１１ａに挿入後、穴１１ａに固定部材９Ａを螺着する。ねじ部９２の先端が中間部材８Ａを押し込み、中間部材８Ａが壁面７ｂに当接する。中間部材８Ａは壁面７ｂと固定部材９Ａとの間で圧縮されてもよい。
【００２８】
以上の通り、本実施形態のゴルフクラブヘッド１によれば、スリット７の形成により打球の打ち出し角を増大でき、かつ、固定部材９によってスリット７の挿入物である中間部材８をスリット７内に保持することができる。
【００２９】
なお、本実施形態では、中間部材８と固定部材９の組を二つとしたが、一つでもよいし、三つ以上でもよい。
【００３０】
また、中間部材８は固定部材９に接着等により一体化されていてもよい。例えば、ねじ部９２の先端面に中間部材８のバック部６側の端面が接着されていてもよい。あるいは、ねじ部９２の先端に該先端から突出する楔形の係合部を設け、中間部材８のバック部６側の端部に刺して一体化してもよい。これにより、ヘッドに対する中間部材８及び固定部材９の組み付け性、交換容易性を更に向上できる。
【００３１】
中間部材８の弾性変形特性によって、打撃時のフェース部４の後傾度合を制御することができる。例えば、ハードヒッターに対しては変形量の小さい硬い材料が中間部材８に適している。逆に、比較的に非力なゴルファに対しては変形量の大きい軟らかい材料が中間部材８に適している。そこで、中間部材８は複数種類の中間部材の中から選択可能であってもよい。本実施形態では、中間部材８及び固定部材９がヘッドから着脱自在な構成であるため、ゴルファが自分の好みにあった種類の中間部材８を選択することも可能である。また、本実施形態のように、中間部材８及び固定部材９の組が複数組ある場合、中間部材８の種類が異なる組があってもよく、この場合も、中間部材８の種類をゴルファが選択可能であってもよい。
【００３２】
また、スリット７にごみが侵入することを防止するため、開口部７ａにカバーを設けてもよい。
【符号の説明】
【００３３】
１  ゴルフクラブヘッド、２  ヘッド上部、３、ヘッド底部、４  フェース部、７  スリット、８Ａ  中間部材、９Ａ  固定部材
【図１】
2018201873.tif 000003
【図２】
2018201873.tif 000004
【図３】
2018201873.tif 000005
【図４】
2018201873.tif 000006